(57)【要約】      （修正有）【課題】手すり用バーに高い負荷がかかっても手すり支持具が破損しないように強固に構成した手すり支持具を提供する。【解決手段】手すり用バーを支える受け部材１４が、受け部２０と、受け部２０の下に一体的に形成された首部２２とからなり、首部２２が所定の間隔をおいて対向する一対の挟持部３０を下側に有する手すり支持具１０が、高い負荷がかかっても破損しないようにするため、一対の挟持部３０の周囲を１８０度以上の範囲で相互に又は受け部２０と一体的に連結させた。また、首部２２の外周部で且つスリット３２の最奥部の一方の限界縁３６を受け部２０から近い位置に形成し、他方の限界縁３８を受け部２０から遠い位置に形成した。【選択図】図１
0003183219.tif 000002
【実用新案登録請求の範囲】
【請求項１】
手すり用バーを支える受け部材と、該受け部材を支持する支持部材と、該受け部材及び該支持部材を屈曲可能に連結する軸部材とからなり、該受け部材は該手すり用バーに連結・固定される受け部と、該受け部の下に一体的に形成された首部とからなり、該首部は所定の間隔をおいて対向する一対の挟持部を下側に有し、該一対の挟持部の間にはスリットが形成され、該一対の挟持部の側部には該スリットと直交する貫通穴が各々同軸に形成され、該一対の挟持部の周囲は該貫通穴を中心として１８０度以上の範囲が相互に又は該受け部と一体的に連結され、該挟持部の外周部で且つ該スリットの最奥部の限界縁の一方は該受け部から近い位置に形成され、該限界縁の他方は該受け部から遠い位置に形成され、該支持部材は支柱の上端部に嵌合・連結される嵌合部と、該嵌合部の上方に一体的に形成され、該挟持部の間のスリットに挿入・連結される突起部とからなり、該突起部には貫通穴が形成され、該軸部材は該挟持部の貫通穴及び該突起部の貫通穴に挿入されていることを特徴とする手すり支持具。
【請求項２】
前記受け部は前記手すり用バーの外周の曲率と略同一曲率の湾曲面を上部に有し、前記スリットは該受け部の該湾曲面の軸方向と同一の方向に向けて形成されていることを特徴とする請求項１に記載の手すり支持具。
【請求項３】
前記受け部はネジを挿入して該受け部を前記手すり用バーに固定するためのネジ穴を有していることを特徴とする請求項１又は２に記載の手すり支持具。
【請求項４】
前記軸部材がボルト及びナットからなることを特徴とする請求項１〜３のいずれかに記載の手すり支持具。
【請求項５】
一方の挟持部の外側で貫通穴の周囲に座ぐり穴が形成され、該座ぐり穴にナットが嵌合していることを特徴とする請求項１〜４のいずれかに記載の手すり支持具。
【請求項６】
前記軸部材がボルトからなり、前記挟持部の一方の貫通穴に螺旋が形成され、該ボルトの先端部が該貫通穴の螺旋に螺合していることを特徴とする請求項１〜５のいずれかに記載の手すり支持具。
【請求項７】
前記挟持部と前記突起部の間にワッシャが挿入されていることを特徴とする請求項１〜６のいずれかに記載の手すり支持具。
【請求項８】
前記軸部材が前記挟持部に溶接で固定されていることを特徴とする請求項１〜７のいずれかに記載の手すり支持具。
【考案の詳細な説明】
【技術分野】
【０００１】
本考案は、例えば階段や坂道などの脇に設置されている手すり（手すり用バー）を支柱に連結する手すり支持具に関するものである。
【背景技術】
【０００２】
例えば駅の階段や公園の坂道などにはお年寄りや身体の不自由な方たちのために手すりが設置されている。手すりは、一般に、所定間隔をおいて立設された支柱と、この支柱間に架け渡された手すり用バーとからなり、手すり用バーは支柱に手すり支持具によって連結・固定されている。
【０００３】
手すり用バーとしては、一般には真っ直ぐな棒状のものが使用されているが、最近は、くねくねと曲がったものが使用される場合がある。このくねくねと曲がった手すり用バーは、真っ直ぐな棒状のものと比べ、握り易くて、すべり難いので、お年寄りや身体の不自由な方たちが、階段や坂道を登る際の補助具としてとても役立っている。
【０００４】
また、真っ直ぐな棒状の手すり用バーの場合は、背の高い人用と背の低い人用の２本が上下に設置されていることが多いが、くねくねと曲がった手すり用バーは背の高い人も背の低い人もどこかをつかむことができるので、一本の手すり用バーで足り、設置コストを低減することができるという利点がある。
【０００５】
このくねくねと曲がった手すり用バーは次のようにして現場の階段などに設置されている。すなわち、まず、手すりを設置する現場の階段などを実測し、得られた数値に基づいて現場の階段の図面を作成し、この図面を用いて支柱を立てる位置を決定する。
【０００６】
次に、この決定された支柱を立てる位置に基づき、手すり用バーについて、支柱に支持される部位を求め、手すり用バーのこの部位に手すり支持具を溶接する。また、この決定された支柱を立てる位置に基づき、現場の階段に穴を掘り、支柱を立設する。そして、立設された支柱に手すり支持具を手すり用バーと共に取り付ける。
【０００７】
しかし、手すり支持具のうちで、支柱の上端部に嵌合・連結される嵌合部が、手すり用バーを支柱に連結する際に、常に鉛直になるように手すり支持具を手すり用バーに溶接するのは非常に面倒である。しかも、くねくねと曲がった手すり用バーは、溶接をする箇所によって角度が違うので、嵌合部が常に鉛直になるように手すり支持具を手すり用バーに溶接するのは更に面倒である。
【０００８】
実際の溶接角度が設計角度からわずかにずれた場合、手すり用バーを現場の支柱に取り付けようとしても、手すり支持具の嵌合部が支柱に嵌合せず、手すり用バーが支柱に取り付けられないことがあるという問題があった。
【０００９】
そこで、最近は、このような不都合を無くすために、手すり用バーに手すり支持具を連結した後でも手すり支持具の嵌合部の角度を変えることができる手すり支持具が種々提案されている。
【００１０】
例えば、図３は従来の手すり支持具の一例の説明図である。同図に示すように、手すり支持具１００は、手すり用バー１０２を支える受け部材１０４と、受け部材１０４を支持する支持部材１０６と、受け部材１０４及び支持部材１０６を屈曲可能に連結する軸部材１０８とからなる。
【００１１】
受け部材１０４は手すり用バー１０２に連結・固定される受け部１１０と、受け部１１０の下に一体的に形成された首部１１２とからなる。受け部１１０の両端部の近傍にはネジ止め用の穴が形成され、ネジ１１４により手すり用バー１０２に固定されるようになっている。支持部材１０６は支柱１１６の上端部に嵌合・連結される嵌合部１１８と、嵌合部１１８の上方に一体的に形成された突起部１２０とからなる。
【００１２】
受け部材１０４の首部１１２の側部と支持部材１０６の突起部１２０の側部には貫通穴が各々形成され、これらの貫通穴にはボルト・ナットからなる軸部材１０８が挿入され、受け部材１０４と支持部材１０６が屈曲可能に連結されている。
【００１３】
しかし、これら種々提案されている手すり支持具は、家庭内の手すりを支持するなど、軽量用途のものであり、手すりに高い負荷がかかると破損する可能性があり、高い負荷がかかる公共の場所への使用は困難であった。
【先行技術文献】
【特許文献】
【００１４】
【特許文献１】特開２００７−１２６９０８号公報
【特許文献２】特開２００３−２７６８７号公報
【特許文献３】特開平８−３０２９４６号公報
【考案の概要】
【考案が解決しようとする課題】
【００１５】
本考案が解決しようとする課題は、従来の手すり支持具が軽量用途のものであり、高い負荷がかかる可能性がある公共の場所へ設置した場合、強度的に耐えられずに破損するおそれがある点である。
【課題を解決するための手段】
【００１６】
本考案は、手すり用バーを支える受け部材が、受け部と、該受け部の下に一体的に形成された首部とからなり、該首部が所定の間隔をおいて対向する一対の挟持部を下側に有する手すり支持具が、高い負荷がかかっても破損しないようにするため、該一対の挟持部の周囲を１８０度以上の範囲で相互に又は該受け部と一体的に連結させたことを最も主要な特徴とする。
【００１７】
更に詳しく述べるならば、本考案は、手すり用バーを支える受け部材と、該受け部材を支持する支持部材と、該受け部材及び該支持部材を屈曲可能に連結する軸部材とからなり、該受け部材は該手すり用バーに連結・固定される受け部と、該受け部の下に一体的に形成された首部とからなり、該支持部材は支柱の上端部に嵌合・連結される嵌合部と、該嵌合部の上方に一体的に形成された突起部とからなることを特徴とする。
【００１８】
ここで、該首部は所定の間隔をおいて対向する一対の挟持部を下側に有し、該一対の挟持部の間にはスリットが形成され、該一対の挟持部の側部には該スリットと直交する貫通穴が各々同軸に形成されている。該一対の挟持部の周囲は該貫通穴を中心として１８０度以上の範囲が相互に又は該受け部と一体的に連結されている。
【００１９】
また、該挟持部の外周部で且つ該スリットの最奥部の限界縁の一方は該受け部から近い位置に形成され、該限界縁の他方は該受け部から遠い位置に形成されている。該突起部には貫通穴が形成され、該突起部は該挟持部の間のスリットに挿入され、該挟持部の貫通穴及び該突起部の貫通穴には該軸部材が挿入され、該突起部と該挟持部が連結されている。
【００２０】
また、前記受け部は前記手すり用バーの外周の曲率と略同一曲率の湾曲面を上部に有し、前記スリットは該受け部の該湾曲面の軸方向と同一の方向に向けて形成されている。前記受け部はネジを挿入して該受け部を前記手すり用バーに固定するためのネジ穴を有していてもよい。
【００２１】
また、前記軸部材としてはボルト及びナットを使用してもよいし、軸部材としてボルトを使用し、前記挟持部の一方の貫通穴に螺旋を形成し、該ボルトの先端部を該貫通穴の螺旋に螺合してもよい。一方の挟持部の外側で貫通穴の周囲に凹部を形成し、該凹部内にナットを嵌合させるようにしてもよい。前記挟持部と前記突起部の間にワッシャを挿入してもよい。前記軸部材を前記挟持部に溶接で固定してもよい。
【考案の効果】
【００２２】
本考案の手すり支持具は、該一対の挟持部の周囲は該貫通穴を中心として１８０度以上の範囲が相互に又は該受け部と一体的に連結されているので、強度が高くなっており、高い負荷がかかっても破損しないという利点がある。
【００２３】
また、本考案の手すり支持具は、前記受け部がネジを挿入して該受け部を前記手すり用バーに固定するためのネジ穴を有している場合、受け部をネジで手すり用バーに固定することができるという利点がある。
【００２４】
また、本考案の手すり支持具は、前記軸部材がボルト及びナットからなる場合、突起部に挟持部を強固に締結することができるという利点がある。
【００２５】
また、本考案の手すり支持具は、一方の挟持部の外側で貫通穴の周囲に凹部が形成され、該凹部内にナットが嵌合している場合、手すり支持具の表面に邪魔な突起を形成させなくてすむという利点がある。
【００２６】
また、本考案の手すり支持具は、前記軸部材がボルトからなり、前記挟持部の一方の貫通穴に螺旋が形成され、該ボルトの先端部が該貫通穴の螺旋に螺合している場合、ナットを使用しなくて済むので、部品点数を減らすことができるという利点がある。
【００２７】
また、本考案の手すり支持具は、前記挟持部と前記突起部の間にワッシャを挿入した場合、受け部材と支持部材とを強固に締結することができるという利点がある。
【００２８】
また、本考案の手すり支持具は、前記軸部材を前記挟持部に溶接で固定した場合、軸部材がいたずらで外されたり、振動で外れることを心配する必要が無いという利点がある。
【図面の簡単な説明】
【００２９】
【図１】図１は本考案に係る手すり支持具の一例の説明図である。
【図２】図２は本考案に係る手すり支持具が使用される手すりの一例の説明図である
【図３】図３は従来の手すり支持具の一例の説明図である。
【考案を実施するための形態】
【００３０】
強い負荷がかかっても破損しない手すり支持具を提供するという目的を、最小の部品点数で、手すり支持具の製造コストを高めることなく実現した。
【実施例１】
【００３１】
図１は本考案に係る手すり支持具の一例の説明図、図２は本考案に係る手すり支持具が使用される手すりの一例の説明図である。本考案の一例に係る手すり支持具１０は、これらの図に示すように、手すり用バー１２を支える受け部材１４と、受け部材１４を支持する支持部材１６と、受け部材１４及び支持部材１６を屈曲可能に連結する軸部材１８とからなる。
【００３２】
受け部材１４は手すり用バー１２の下側の面に連結・固定される受け部２０と、受け部２０の下に一体的に形成された首部２２とからなる。
【００３３】
受け部２０はやや長い略楕円形の形状をしており、長軸に平行な軸を中心として、手すり用バー１２の外周の曲率と略同一の曲率で湾曲している。受け部２０はネジ穴２０ｂ，２０ｂを両端近傍に有している。受け部２０の裏側（手すり用バー１２と接しない側）でネジ穴２０ｂ，２０ｂの周囲にはネジ（図示せず）の頭を埋め込むための座ぐりが形成されている。
【００３４】
首部２２は所定の間隔をおいて平行に対向する一対の挟持部３０，３０を下側に有し、一対の挟持部３０，３０の間にはスリット３２が形成されている。スリット３２は受け部２０の湾曲面２０ａの軸方向と同一の方向に向けて形成されている。
【００３５】
一対の挟持部３０，３０の側部にはスリット３２と直交する貫通穴３４，３４が各々同軸に形成されている。首部２２の外側であって、一方の貫通穴３４の周囲にはボルトの頭部を埋め込むための座ぐりが形成され、他方の貫通穴３４の周囲にはナットを埋め込むための座ぐりが形成されている。
【００３６】
一対の挟持部３０，３０の周囲は貫通穴３４，３４を中心として１８０度以上の範囲が相互に又は受け部２０と一体的に連結されている。すなわち、首部２２の外周部で且つスリット３２の最奥部の一方の限界縁３６は受け部２０から近い位置に形成され、他方の限界縁３８は受け部２０から遠い位置に形成されている。
【００３７】
支持部材１６は支柱２４の上端部に嵌合・連結される嵌合部２６と、嵌合部２６の上方に一体的に形成された厚肉で板状の突起部２８とからなる。
【００３８】
嵌合部２６は支柱２４の頭部に嵌合させる部位であり、この実施例では支柱２４が円柱状になっているので、嵌合部２６も円柱状であり、嵌合部２６の外径は支柱２４の内径と略同一になっている。支柱２４が四角柱状の場合、嵌合部２６は四角柱状になる。嵌合部２６の上部は支柱２４の上端部を覆うように若干張り出させて支柱２４の内部へ雨水が浸入しないようになっている。
【００３９】
突起部２８は受け部材１４の挟持部３０，３０の間のスリット３２に嵌入させるものであり、突起部２８の厚さはスリット３２の幅と略同一になっている。突起部２８の先端付近には肉厚方向に貫通穴４０が形成されている。
【００４０】
突起部２８は挟持部３０，３０の間のスリット３２に挿入され、一方の挟持部３０の貫通穴３４、突起部２８の貫通穴４０、他方の挟持部３０の貫通穴３４に、この順で軸部材１８であるボルトが挿入され、ボルトの先端部は他方の挟持部３０の貫通穴３４の座ぐり穴に嵌合させたナットに螺合している。すなわち、突起部２８と挟持部３０は軸部材１８によって連結されている。
【００４１】
なお、この実施例では貫通穴３４の座ぐり穴に嵌合しているナットに軸部材１８としてのボルトの先端部を螺合させているが、挟持部３０の一方の貫通穴３４に螺旋を形成し、ボルトの先端部をこの螺旋に螺合させてもよい。
【００４２】
次に、この手すり支持具を用いて手すりを設置する工事手順の一例について説明する。
【００４３】
まず、手すりを設置する現場の階段を実測し、得られた数値に基づいて階段の図面を作成し、この図面を用いて支柱２４を立てる位置を決定し、この支柱２４を立てる位置に基づいて、現場の階段に穴を掘り、支柱２４を立設しておく。
【００４４】
また、この支柱２４を立てる位置に基づき、手すり用バー１２について、支柱２４に支持される部位を求め、手すり用バー１２のこの部位に手すり支持具１０の受け部材１４を取り付ける。
【００４５】
すなわち、手すり用バー１２のこの部位に受け部材１４を重ね、手すり用バー１２の、受け部材１４のネジ穴２０ｂと重なる部位にネジ穴を開け、受け部材１４のネジ穴２０ｂと手すり用バー１２のネジ穴に、ネジをこの順にねじ込み、受け部材１４を手すり用バー１２に固定する。
【００４６】
ここで、受け部材１４は、受け部２０から近い位置に限界縁３６が形成されている側を下流側（手すりが低くなる側）とする。
【００４７】
受け部材１４の挟持部３０，３０の間のスリット３２に突起部２８を挿入し、一方の挟持部３０の貫通穴３４、突起部２８の貫通穴４０、他方の挟持部３０の貫通穴３４に、この順で軸部材１８であるボルトを挿入し、他方の挟持部３０の貫通穴３４の座ぐり穴に嵌合させたナットにボルトの先端部を螺合させ、突起部２８と挟持部３０を連結する。
【００４８】
そして、この手すり用バー１２、すなわち手すり支持具１０を取り付けた手すり用バー１２を現場に運び、支柱２４に手すり支持具１０を手すり用バー１２とともに取り付ける。
【００４９】
なお、軸部材１８であるボルトの頭部やナットは首部２２の表面に溶接で固定して、いたずらや振動により軸部材１８が緩んで、突起部２８から挟持部３０が外れることを防止するようにしておくのが好ましい。
【００５０】
また、挟持部３０と突起部２８の間の隙間にワッシャ（図示せず）を挿入した状態で軸部材１８であるボルトとナットを用いて締結することにより、挟持部３０と突起部２８を強固に締結させておくのが好ましい。
【００５１】
上述した工事手順では、支柱を予め設置しておいて、支柱の上端部に手すり支持具を手すり用バーとともに連結しているが、現場の状況に応じては、支柱を後から設置してもよい。
【符号の説明】
【００５２】
１０  手すり支持具
１２  手すり用バー
１４  受け部材
１６  支持部材
１８  軸部材
２０  受け部
２０ａ  湾曲面
２０ｂ  ネジ穴
２２  首部
２４  支柱
２６  嵌合部
２８  突起部
３０  挟持部
３２  スリット
３４  貫通穴
３６  限界縁
３８  限界縁
４０  貫通穴
【図１】
0003183219.tif 000003
【図２】
0003183219.tif 000004
【図３】
0003183219.tif 000005